(57)【要約】【課題】  引出やロッカーに収納し易く、持ち運びに便利で机の上に立てて使用できる書類ケースを提供する。【解決手段】  上面に開口部を備え、型崩れしない素材から成る正面部１と背面部２と、正面部１と背面部２を接続し、正面部１と背面部２との距離を調整可能とする側面部３及び底面部４とを有し、正面部１の上側には第１の持ち手１１が形成され、背面部２の上側には第２の持ち手２１が形成される書類ケースであり、正面部１と背面部２で本体を支えて自立させることができ、引出やロッカーに収納し易く、机の上に立てて使用できると共に、側面部３と底面部４が縮んで正面部１と背面部２の距離を短くできるので、第１の持ち手１１と第２の持ち手２１を近接させ、片手で容易に持つことができるものである。【選択図】        図１
0003209317.tif 000002
【実用新案登録請求の範囲】
【請求項１】
開口部を備える書類ケースであって、
第１の持ち手が形成され、型崩れしない素材から成る正面部と、
第２の持ち手が形成され、型崩れしない素材から成る背面部と、
前記正面部と前記背面部を接続し、前記正面部と前記背面部との距離を調整可能とする側面部及び底面部とを有することを特徴とする書類ケース。
【請求項２】
側面部及び底面部は、正面部と背面部の素材より柔らかい素材で形成されていることを特徴とする請求項１記載の書類ケース。
【請求項３】
正面部における底辺の角部と背面部における底辺の角部に、コーナー金具を取り付けたことを特徴とする請求項１又は２記載の書類ケース。
【請求項４】
正面部又は背面部にポケットを設けたことを特徴とする請求項１乃至３のいずれか記載の書類ケース。
【請求項５】
底面部の内側に一辺のみが接続する底板を設けたことを特徴とする請求項１乃至４のいずれか記載の書類ケース。
【考案の詳細な説明】
【技術分野】
【０００１】
本考案は、書類を収納する書類ケースに係り、特に、引出やロッカーに収納し易く、持ち運びに便利で机の上に立てて使用できる書類ケースに関する。
【背景技術】
【０００２】
［先行技術の説明］
従来の書類ケースは、紙製又はプラスチック製の箱形のケースが一般的であった。
また、従来の書類入れで、持ち運び可能な形状のものがあった。
【０００３】
［関連技術］
尚、関連する先行技術としては、特開平０７−０７１０７８号公報「携帯用書類入れ」（カワイコーポレーション株式会社）［特許文献１］、特開２０１１−１４０１２９号公報「カバン型ファイルバインダー」（稲葉健一）［特許文献２］がある。
【０００４】
特許文献１には、側面が扇状に広がり、内部が仕切り部材で区切られ、書類を小分けに収納できる携帯用書類入れが記載されている。
特許文献２には、ファイルバインダーの表表紙と裏表紙を硬い素材として、両表紙に取っ手を取り付けて持ち運び可能としたカバン型ファイルバインダーが記載されている。
【先行技術文献】
【特許文献】
【０００５】
【特許文献１】特開平０７−０７１０７８号公報
【特許文献２】特開２０１１−１４０１２９号公報
【考案の概要】
【考案が解決しようとする課題】
【０００６】
しかしながら、従来の紙製又はプラスチック製の書類ケースでは、持ち運びの際には両手で持ち抱える必要があり、持ち運び容易ではないという問題点があった。
【０００７】
特に、最近流行のフリーアドレスのオフィス（席が決まっておらず自由に着席できるオフィス）では、ノートパソコンや文房具、書類を収納してオフィス内を移動することが多く、そのような状況で利用し易い書類ケースが望まれている。
【０００８】
また、移動可能な書類入れでは、引出に収納するのに適しておらず、更に、机の上に立てて使用する構成となっていないため、使用しづらいという問題点があった。
【０００９】
尚、特許文献１，２には、持ち運びが容易な構成は記載されているが、引出に収納し易く、更に、机の上に立てて場所をとらずに容易に使用できる構成については記載されていない。
【００１０】
本考案は上記実状に鑑みて為されたもので、引出やロッカーに収納し易く、持ち運びに便利で机の上に立てて使用できる書類ケースを提供することを目的とする。
【課題を解決するための手段】
【００１１】
上記従来例の問題点を解決するための本考案は、開口部を備える書類ケースであって、第１の持ち手が形成され、型崩れしない素材から成る正面部と、第２の持ち手が形成され、型崩れしない素材から成る背面部と、正面部と背面部を接続し、正面部と背面部との距離を調整可能とする側面部及び底面部とを有することを特徴とする。
【００１２】
本考案は、上記書類ケースにおいて、側面部及び底面部が、正面部と背面部の素材より柔らかい素材で形成されていることを特徴としている。
【００１３】
本考案は、上記書類ケースにおいて、正面部における底辺の角部と背面部における底辺の角部に、コーナー金具を取り付けたことを特徴としている。
【００１４】
本考案は、上記書類ケースにおいて、正面部又は背面部にポケットを設けたことを特徴としている。
【００１５】
本考案は、上記書類ケースにおいて、底面部の内側に一辺のみが接続する底板を設けたことを特徴としている。
【考案の効果】
【００１６】
本考案によれば、開口部を備え、第１の持ち手が形成され、型崩れしない素材から成る正面部と、第２の持ち手が形成され、型崩れしない素材から成る背面部と、正面部と背面部を接続し、正面部と背面部との距離を調整可能とする側面部及び底面部とを有する書類ケースとしているので、正面部と背面部で本体を支えて自立させることができ、引出やロッカーに収納し易く、机の上に立てて使用できると共に、側面部と底面部が縮んで正面部と背面部の距離を短くできるので、第１の持ち手と第２の持ち手を近接させ、片手で容易に持つことができる効果がある。
【図面の簡単な説明】
【００１７】
【図１】本書類ケースの概略図である。
【図２】本書類ケースの正面図である。
【図３】本書類ケースの側面図である。
【図４】本書類ケースを折り畳んだ側面図である。
【図５】引出に収納した場合の使用例を示す概略図である。
【図６】机の上に立てた場合の使用例を示す概略図である。
【考案を実施するための形態】
【００１８】
本考案の実施の形態について図面を参照しながら説明する。
［実施の形態の概要］
本考案の実施の形態に係る書類ケースは、上面に開口部を備え、型崩れしない素材から成る正面部と背面部と、正面部と背面部を接続し、正面部と背面部との距離を調整可能とする側面部及び底面部とを有し、正面部の上側には第１の持ち手が形成され、背面部の上側には第２の持ち手が形成されるものとしているので、正面部と背面部で本体を支えて自立させることができ、引出やロッカーに収納し易く、机の上に立てて使用できると共に、側面部と底面部が縮んで正面部と背面部の距離を短くできるので、第１の持ち手と第２の持ち手を近接させ、片手で容易に持つことができるものである。
【００１９】
［本書類ケース：図１〜３］
本考案の実施の形態に係る書類ケース（本書類ケース）について、図１〜３を参照しながら説明する。図１は、本書類ケースの概略図であり、図２は、本書類ケースの正面図であり、図３は、本書類ケースの側面図である。
本書類ケースは、図１〜３に示すように、正面部１と、背面部２と、側面部３と、底面部４とから基本的に構成され、上面が開口している。
尚、本書類ケースは、Ａ４サイズの書類をクリアファイルに入れたまま収納できる大きさとなっている。
【００２０】
［本書類ケースの各部］
本書類ケースの各部を説明する。
［正面部１、背面部２］
正面部１，背面部２は、型崩れしない素材で形成されている。型崩れしない素材としては、特定の厚さを備える厚紙、布地、ボード等の硬い素材が考えられ、厚紙又は布地については芯材で補強してもよい。
本書類ケースでは、外側が型崩れしない素材、例えば、クロスペーパー等で形成されている。
また、正面部１，背面部２の内側には、裏地が形成されている。裏地としては、ポリエステル等である。外側の素材と裏地の間に、芯材を挿入してもよい。
そして、型崩れしない硬い素材の正面部１及び背面部２によって自立可能となっている。
【００２１】
［持ち手１１，２１］
また、正面部１の上部には、持ち手１１が設けられ、背面部２の上部には、持ち手２１が設けられている。
持ち手１１，２１は、正面部１，背面部２の表裏を貫通しており、指を通し易くしている。貫通している縁部分は、スチール金具で補強されている。
【００２２】
［スチール金具１２，２２］
更に、正面部１の底面側の角部（コーナー）には、補強用のスチール金具１２が取り付けられている。
同様に、背面部２の底面側の角部にも、補強用のスチール金具２２が取り付けられている。
【００２３】
［内ポケット６］
また、正面部１又は背面部２の一方の内側に内ポケット６が形成されている。
内ポケット６は、第１の持ち手１１又は第２の持ち手２１の下側に設けられ、上側が開口している。本書類ケース自体が書類を収納するものであるから、内ポケット６には多くの物品を収納する厚みはないものである。
内ポケット６は、正面部１及び背面部２の両方の内側に形成してもよい。また、内側ではなく、正面部１、背面部２の外側にポケットを形成してもよい。
【００２４】
［側面部３］
側面部３は、正面部１と背面部２とを側面で接続し、マチとなる部分で、正面部１，背面部２の外側の素材より柔らかい素材で形成されている。側面部３の素材としては、ポリエステル等である。
【００２５】
［底面部４］
底面部４は、正面部１、背面部２及び側面部３に接続し、正面部１，背面部２の外側の素材より柔らかい素材で形成されている。底面部４の素材としては、ポリエステル等である。
【００２６】
［底板５］
そして、図１に示すように、底面部４と正面部１の接続部分には、底板５の長辺の一辺が接続されている。
底板５は、接続部分を中心に底面部４側から正面部１側に移動することができる。
【００２７】
［本書類ケースを折り畳んだ状態：図４］
つまり、書類ケースとして使用するときは、底板５を底面部４側に倒して底板５全体を底面部４に接触させ、書類ケースとして使用しないときは、底板５を正面部１側に跳ね上げて底板５全体を正面部１に接触させると、図４に示すように、側面部３と底面部４を折り畳むことができる。図４は、本書類ケースを折り畳んだ側面図である。
【００２８】
また、底面部４の中央部分には、長辺に平行に折り目が形成されており、折り畳み易い構造となっている。
側面部３の中央部分にも、長辺に平行に折り目が形成されており、折り畳み易い構造となっている。
但し、側面部３と底面部４の接続部分では、図３に示すように、側面部３の折り目を逆Ｙ字状にし、底面部４の両端でも折り目をＹ字状にすることで、側面部３と底面部４を内側に折り畳む構造にすることができる。
【００２９】
［引出し収納の使用例：図５］
本書類ケースは、図５に示すように、引出に収納して使用することができる。図５は、引出に収納した場合の使用例を示す概略図である。
【００３０】
［立てての使用例：図６］
また、本書類ケースは、図６に示すように、正面部１と背面部２が型崩れしない素材で自立可能な構成としているため、底板５全体を底面部４に接触させた状態であれば、倒れることがないため、机の上に立てても使用することができる。図６は、机の上に立てた場合の使用例を示す概略図である。
【００３１】
特に、図６では、本書類ケースの側面部３を下にして机の上に立てた場合を示している。このように立てて使用することにより、椅子に座ったままで書類を取り出し易くできるものである。
【００３２】
［持ち運び］
また、側面部３が柔らかい素材でマチとなるため、開口部において持ち手１１と持ち手２１とを接近させることができ、持ち手１１と持ち手２１に指を通して片手で容易に持つことができ、持ち運びが容易になるものである。
【００３３】
［実施の形態の効果］
本書類ケースによれば、上面に開口部を備え、型崩れしない素材から成る正面部１と背面部２と、正面部１と背面部２を接続し、正面部１と背面部２との距離を調整可能とする側面部３及び底面部４とを有し、正面部１の上側には第１の持ち手１１が形成され、背面部２の上側には第２の持ち手２１が形成されるものとしているので、正面部１と背面部２で本体を支えて自立させることができ、引出やロッカーに収納し易く、机の上に立てて使用できると共に、側面部３と底面部４が縮んで正面部１と背面部２の距離を短くできるので、第１の持ち手１１と第２の持ち手２１を近接させ、片手で容易に持つことができる効果がある。
【００３４】
本書類ケースは、底面部４に底板５が設けられており、底板５が跳ね上げ可能な構成となっているので、底板５を跳ね上げると、側面部３と底面部４を折り畳むことができ、書類ケースとして使用しないときは、コンパクトに保管できる効果がある。
【産業上の利用可能性】
【００３５】
本考案は、引出やロッカーに収納し易く、持ち運びに便利で机の上に立てて使用できる書類ケースに適している。
【符号の説明】
【００３６】
１...正面部、  ２...背面部、  ３...側面部、  ４...底面部、  ５...底板、  ６...内ポケット、  １１...第１の持ち手、  １２...スチール金具、  ２１...第２の持ち手、  ２２...スチール金具
【図１】
0003209317.tif 000003
【図２】
0003209317.tif 000004
【図３】
0003209317.tif 000005
【図４】
0003209317.tif 000006
【図５】
0003209317.tif 000007
【図６】
0003209317.tif 000008